(57)【要約】非繊維性洗濯洗剤シートは、図形パターンが上に印刷された状態で、完全に又は実質的に水溶性である。このような図形パターンは、１種以上の布地色相剤を含む。
2020507646.tif 000002
【特許請求の範囲】
【請求項１】
第１の平面及び第２の反対側の平面を有する非繊維性洗濯洗剤シートであって、
前記第１の平面が、少なくとも２のカラーコントラスト（ΔＥ）によって特徴付けられる第１の個別領域と第２の個別領域とを含み、前記第１の個別領域及び／又は前記第２の個別領域が、染料、染料−粘土複合体、有機顔料、無機顔料、及びこれらの組み合わせからなる群から選択される１つ以上の布地色相剤を含み、
前記洗濯洗剤シートは、少なくとも１種の界面活性剤及び少なくとも１種の皮膜形成剤を含み、
前記洗濯洗剤シートは、完全に又は実質的に水溶性であり、
前記洗濯洗剤シートが、０．１ｍｍ〜１０ｍｍの範囲の厚さ、少なくとも５：１の長さ対厚さのアスペクト比、及び少なくとも５：１の幅対厚さのアスペクト比を有する非繊維性洗濯洗剤シート。
【請求項２】
前記第１の個別領域と前記第２の個別領域との間の前記カラーコントラスト（ΔＥ）が、少なくとも２．３、好ましくは少なくとも３、より好ましくは少なくとも５、及び最も好ましくは少なくとも６である、請求項１に記載の非繊維性洗濯洗剤シート。
【請求項３】
前記１種以上の布地色相剤が、直接染料、塩基性染料、反応性染料、溶剤染料、分散染料、及びこれらの組み合わせからなる群から選択される１種以上の染料を含む、請求項１又は２に記載の非繊維性洗濯洗剤シート。
【請求項４】
前記１種以上の布地色相剤が、以下の化学構造を有する１種以上の染料を含み：
（ａ）
【化１】
2020507646.tif 000006
式（ａ）中、指数ｘ及びｙは、独立して、１〜１０から選択され、並びに／又は、
（ｂ）
【化２】
2020507646.tif 000007
式（ｂ）中、Ｒ１及びＲ２は、独立して、水素、アルキル、アルコキシ、アルキレンオキシ、アルキルキャップ化アルキレンオキシ、ウレア、及びアミドからなる群から選択され、
Ｒ３は、置換アリール基であり、
Ｘはスルホンアミド部分並びに任意にアルキル及び／又はアリール部分を含む置換基であり、
前記置換基は、少なくとも４つのアルキレンオキシ部分の平均モル分布を含む少なくとも１つのアルキレンオキシ鎖を含む、請求項１又は２に記載の非繊維性洗濯洗剤シート。
【請求項５】
前記１種以上の布地色相剤が、ジアミノスチルベン、ジスチリルビフェニル、及びこれらの組み合わせからなる群から選択される１種以上の蛍光染料を含み、
より好ましくは、前記１種以上の蛍光染料が、ジナトリウム４，４’−ビス｛［４−アニリノ−６−モルホリノ−ｓ−トリアジン−２−イル］−アミノ｝−２，２’−スチルベンジスルホネート、ジナトリウム４，４”−ビス［（４，６−ジ−アニリノ−ｓ−トリアジン−２−イル）−アミノ］−２，２’−スチルベンジスルホネート、ジナトリウム４，４’−ビス｛［４−アニリノ−６−［ビス（２−ヒドロキシエチル）アミノ−ｓ−トリアジン−２−イル］−アミノ｝−２，２’−スチルベンジスルホネート、ジナトリウム２，２’−（［１，１’−ビフェニル］−４，４’−ジイルジビニレン）ビス（ベンゼンスルホネート）、及びこれらの組み合わせからなる群から選択される、請求項１〜４のいずれか一項に記載の非繊維性洗濯洗剤シート。
【請求項６】
前記第１の個別領域及び前記第２の個別領域の一方のみが、前記１種以上の布地色相剤を含み、前記第１の個別領域及び前記第２の個別領域の他方が、布地色相剤を実質的に含まない、又は１種以上の異なる布地色相剤を含む、請求項１〜５のいずれか一項に記載の非繊維性洗濯洗剤シート。
【請求項７】
前記第２の平面が、少なくとも２のカラーコントラスト（ΔＥ）によって特徴付けられる、第３の個別領域と第４の個別領域とを含み、
前記第３の個別領域及び／又は前記第４の個別領域も、前記１種以上の布地色相剤を含む、請求項１〜６のいずれか一項に記載の非繊維性洗濯洗剤シート。
【請求項８】
前記少なくとも１種の界面活性剤が、かかる非繊維性洗濯洗剤シートの総重量に対して５％〜９０％、好ましくは２０％〜９０％、より好ましくは３０％〜９０％、及び最も好ましくは５０％〜９０％の範囲の量で存在する、請求項１〜７のいずれか一項に記載の非繊維性洗濯洗剤シート。
【請求項９】
Ｃ６〜Ｃ２０直鎖状アルキルベンゼンスルホネート（ＬＡＳ）、Ｃ６〜Ｃ２０直鎖状又は分枝鎖状アルキルサルフェート（ＡＳ）、０．１〜１０の範囲の重量平均アルコキシル化度を有するＣ６〜Ｃ２０直鎖状又は分枝鎖状アルキルアルコキシサルフェート（ＡＡＳ）、及びこれらの組み合わせからなる群から選択される１種以上のアニオン性界面活性剤を含む、請求項１〜８のいずれか一項に記載の非繊維性洗濯洗剤シート。
【請求項１０】
（１）主界面活性剤として、１種以上のＣ６〜Ｃ１８直鎖状又は分枝鎖状ＡＳ界面活性剤と、
（２）補助界面活性剤として、１種以上のＣ６〜Ｃ２０ＬＡＳ及び／又はＣ６〜Ｃ２０直鎖状又は分枝鎖状ＡＡＳとを含み、
前記主界面活性剤は、前記シート中の全界面活性剤の総重量に対して５０％超の量で存在し、
前記１種以上のＣ６〜Ｃ１８直鎖状又は分枝鎖状ＡＳ界面活性剤が、好ましくはＣ１２〜Ｃ１４直鎖状又は分枝鎖状ＡＳ界面活性剤である、請求項１〜９のいずれか一項に記載の非繊維性洗濯洗剤シート。
【請求項１１】
（１）主界面活性剤として、１種以上のＣ６〜Ｃ２０ＬＡＳ界面活性剤と、
（２）補助界面活性剤として、１種以上のＣ６〜Ｃ１８直鎖状又は分枝鎖状ＡＳ及び／又は、Ｃ６〜Ｃ２０直鎖状又は分枝鎖状ＡＡＳとを含み、
前記主界面活性剤は、前記シート中の全ての界面活性剤の総重量に対して５０％超の量で存在する、請求項１〜９のいずれか一項に記載の非繊維性洗濯洗剤シート。
【請求項１２】
かかる非繊維性洗濯洗剤シートの総重量に対して、１％〜４０％、好ましくは２％〜３０％、より好ましくは５％〜２５％、及び最も好ましくは１０％〜２０％の範囲の量で１種以上の非イオン性界面活性剤を更に含み、
前記１種以上の非イオン性界面活性剤は、好ましくはアルキルアルコキシル化アルコール、及びその組み合わせからなる群から選択される、請求項９〜１１のいずれか一項に記載の非繊維性洗濯洗剤シート。
【請求項１３】
前記少なくとも１種の皮膜形成剤が、かかる非繊維性洗濯洗剤シートの総重量に対して１％〜７０％、好ましくは２％〜６０％、より好ましくは５％〜５０％、及び最も好ましくは１０％〜４０％の範囲の量で存在し、
前記少なくとも１種の皮膜形成剤が、１種以上の水溶性ポリマーを含み、
好ましくは、前記１種以上の水溶性ポリマーが、ポリアルキレングリコール、ポリビニルアルコール、デンプン又は変性デンプン、セルロース又は変性セルロース、ポリアクリレート、ポリメタクリレート、ポリアクリルアミド、ポリビニルピロリドン、及びこれらの組み合わせからなる群から選択され、
より好ましくは、前記１種以上の水溶性ポリマーが、ポリエチレングリコール、ポリビニルアルコール、デンプン又は変性デンプン、セルロース又は変性セルロース、及びこれらの組み合わせからなる群から選択される、請求項１〜１２のいずれか一項に記載の非繊維性洗濯洗剤シート。
【請求項１４】
布地を洗浄するための、好ましくは布地から染み及び／又は臭気を除去するための、請求項１〜１３のいずれか一項に記載の非繊維性洗濯洗剤シートの使用。
【請求項１５】
洗浄前に布地を前処理するための、請求項１〜１３のいずれか一項に記載の非繊維性洗濯洗剤シートの使用であって、
まず前処理を必要とする布地の一部分を濡らし、
その後に、前記布地の前記濡らした一部分と、前記単一の非繊維性洗濯洗剤構造体、又はその一片を直接接触させる、使用。
【発明の詳細な説明】
【技術分野】
【０００１】
本発明は、図形パターンが印刷された状態で完全に又は実質的に水溶性である非繊維性洗濯洗剤シートに関する。
【背景技術】
【０００２】
処理された布地の審美的外観を改善するための、洗濯洗剤組成物への色調調節剤（shading agents）又は色相剤の組み込みが知られている。このような布地色相剤は、処理された布地に、わずかに着色された色相又は色合い、例えば青色又は紫色の色相を付与し、そのような処理された布地の見かけの白色度を効果的に増加させ、これらの色相を有さない布地よりも、消費者の目に審美的により心地良いようにすることができる。
【０００３】
しかしながら、このような布地色相剤が液体洗濯洗剤組成物に組み込まれると、液体洗濯洗剤組成物全体を暗緑色、青色、又は紫色にしてしまう場合がある。このような暗色は、アジア人の消費者にとって特に望ましくないが、これは、彼らが、暗色の液体はより多くの化学物質を含有し、それゆえにより自然性のものでない、又はよりきついものであると感じるためである。アジア人の消費者は、通常、淡色の液体洗濯洗剤組成物を好むが、これは、彼らにとって、淡色の液体が、より少ない化学物質を含み、したがってより自然であり、又はより穏やかなものであるとみなされるためである。このような感じ方により、アジア市場においては、液体洗濯洗剤組成物に布地色相剤を広く使用することへの大きな妨げとなる。たとえ布地色相剤が実際に使用される場合であっても、布地色相剤は、液体洗濯洗剤組成物を消費者の嗜好に対して過度に暗い色にしてしまうという恐れがあるため、少量又は中程度の量でのみ使用される。
【０００４】
過去１０年の間に、水に完全に溶解可能なシート状形態の洗濯洗剤組成物は、より一般的になってきている。液体洗濯洗剤組成物とは異なり、このような洗濯洗剤シートは水をほとんど又は全く含有しないため、これらは非常に濃縮されており、漏洩のリスクをほとんど又は全く有さないため輸送及び取り扱いが容易であり、出荷及び保管中に、化学的及び物理的に安定しており、かつ物理的及び環境的な設置面積が著しく小さい。
【０００５】
しかしながら、このような新しい洗濯洗剤シートへ布地色相剤を組み込むと、液体洗濯洗剤組成物の場合と同様の問題を呈することになる。現在市販されている洗濯洗剤シート製品で、布地色相剤を組み込んだものには全て、それらが組み込んでいる布地色相剤の特徴的な色である緑色、青色、又は紫色が付与される。更に、洗濯洗剤シートは、その体積及びサイズが、従来の液体洗濯洗剤組成物よりも著しく小さいため、そのようなシートに組み込まれる布地色相剤の量は、かかる洗濯洗剤シートの全体的な審美的外観及び消費者による受け入れに悪影響を及ぼすことを防止するために、更により慎重に制御される必要がある。
【発明の概要】
【発明が解決しようとする課題】
【０００６】
したがって、上記のような洗濯洗剤シート製品の全体的な審美的外観及び消費者による受け入れに悪影響を及ぼすことなく、処理された布地の審美的外観を効果的に改善するのに十分な量で、布地色相剤を自由に組み込むことができる洗濯洗剤シート製品に対する必要性が存在する。
【課題を解決するための手段】
【０００７】
本発明は、洗濯洗剤シート上に印刷された別々の図形パターンに布地色相剤を組み込み、配置させることにより、上記の問題に対する解決策を提供する。ここで、布地色相剤を含有するこのような個別の図形パターンは、使用前の洗濯洗剤シート上ではそれ自体が審美的装飾となって、審美的にマイナスな要素であったものを審美的にプラスのものに変え、そのような洗濯洗剤シートを消費者の目から見て、より（見た目を悪くする代わりに）見た目の良いものとする。一方、今や布地色相剤を自由に投与することができるので、洗濯洗剤シートによる処理を通して布地に必要とされるだけの白色性改善効果を提供する。
【０００８】
一態様では、本発明は、第１の平面及び第２の反対側の平面を有する非繊維性洗濯洗剤シートに関し、その非繊維性洗濯洗剤シートは、第１の平面が、少なくとも約２のカラーコントラスト（ΔＥ）によって特徴付けられる第１の個別領域と第２の個別領域とを含み、第１の個別領域及び／又は第２の個別領域が、染料、染料−粘土複合体、有機顔料、無機顔料、及びこれらの組み合わせからなる群から選択される１種以上の布地色相剤を含む。このような洗濯洗剤シートは、少なくとも１種の界面活性剤及び少なくとも１種の皮膜形成剤を含み、かつ完全に又は実質的に水溶性である。更に、かかる洗濯洗剤シートは、０．１ｍｍ〜１０ｍｍの範囲の厚さ、少なくとも５：１の長さ対厚さのアスペクト比、及び少なくとも５：１の幅対厚さのアスペクト比を有する。
【０００９】
好ましくは、第１の個別領域と第２の個別領域との間のカラーコントラスト（ΔＥ）は、少なくとも約２．３、より好ましくは少なくとも約３、更により好ましくは少なくとも約５、そして最も好ましくは少なくとも約６である。
【００１０】
１種以上の布地色相剤は、直接染料、塩基性染料、反応性染料、溶媒染料、分散染料、及びこれらの組み合わせからなる群から選択される、１種以上の染料を含んでもよい。
【００１１】
かかる１種以上の布地色相剤は、単独で又は上述の染料と組み合わせて、例えばジアミノスチルベン、ジスチリルビフェニル、及びこれらの組み合わせのうち、１種以上の蛍光染料を含んでもよい。好ましくは、このような１種以上の蛍光染料は、ジナトリウム４，４’−ビス｛［４−アニリノ−６−モルホリノ−ｓ−トリアジン−２−イル］−アミノ｝−２，２’−スチルベンジスルホネート（「蛍光増白剤２６０」とも呼ばれる）、ジナトリウム４，４”−ビス［（４，６−ジ−アニリノ−ｓ−トリアジン−２−イル）−アミノ］−２，２’−スチルベンジスルホネート、ジナトリウム４，４’−ビス｛［４−アニリノ−６−［ビス（２−ヒドロキシエチル）アミノ−ｓ−トリアジン−２−イル］アミノ｝−２，２’−スチルベンジスルホネート、ジナトリウム２，２’−（［１，１’−ビフェニル］−４，４’−ジイルジビニレン）ビス（ベンゼンスルホネート）（「蛍光増白剤３５１」とも呼ばれる）、及びこれらの組み合わせからなる群から選択される。
【００１２】
本発明の好ましいが必須ではない実施形態では、非繊維性洗濯洗剤シートの第１の平面上の第１の個別領域の及び第２の個別領域の一方のみが、当該１種以上の布地色相剤を含有し、このような第１の個別領域及び第２の個別領域の他方は、布地色相剤も実質的に含まない、又は異なる布地色相剤を１種以上含む。
【００１３】
更に、非繊維性洗濯洗剤シートの第２の平面は、少なくとも２のカラーコントラスト（ΔＥ）によって特徴付けられる第３の個別領域及び第４の個別領域を含んでもよく、第３の個別領域及び／又は第４の個別領域も、このような１種以上の布地色相剤を含有する。
【００１４】
別の態様では、本発明は、布地を洗浄するため、好ましくは布地から染み及び／又は臭気を除去するための、上述のような非繊維性洗濯洗剤シートの使用に関する。
【００１５】
更に別の態様では、本発明は、洗浄前に布地を前処理するための、非繊維性洗濯洗剤シートの使用に関するものであり、まず前処理を必要とする布地の一部分を最初に濡らし、その後に、布地の濡らした一部分と、単一の非繊維性洗濯洗剤構造体、又はその小片とを直接接触させる。
【００１６】
本発明のこれらの及びその他の態様は、本発明についての以下の詳細な説明を読むことにより、更に明らかになるであろう。
【図面の簡単な説明】
【００１７】
【図１】従来技術の非繊維性洗濯洗剤シートであって、その中に均一に分布された着色剤を含有するものの斜視図である。
【図２】本発明の一実施形態による非繊維性洗濯洗剤シートの斜視図であり、布地色相剤によって形成された、第１の印刷された図形パターンを上に含む第１の平面を示す。
【図３】図３の非繊維性洗濯洗剤シートの斜視図であり、やはり布地色相剤によって形成された、第２の印刷された図形パターンをその上に含む第２の平面を示す。
【図４】同じ布地色相剤を異なる濃度で投与することによって形成された異なる色の領域を有する、印刷された図形パターンをその前面に含む、本発明の別の実施形態による非繊維性洗濯洗剤シートの正面図である。
【発明を実施するための形態】
【００１８】
本発明の種々の実施形態の特徴及び利点は、本発明の幅広い表現を与えるように意図される特定の実施形態の例を含む、以下の記述から明らかになるであろう。様々な修正がこの記述及び本発明の実施から当業者には明白であろう。本発明の範囲は、開示される特定の形態に限定されることを意図せず、また本発明は、「特許請求の範囲」により定義されるような本発明の趣旨及び範囲に当てはまる全ての変形形態、等価物、及び代替物を網羅する。
【００１９】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００２０】
本明細書で使用するとき、請求項において使用される「ａ」及び「ａｎ」等の冠詞は、特許請求される又は記載される１つ又は複数のものを意味すると理解される。用語「備える」、「含有する」、「含む」等（ｃｏｍｐｒｉｓｅ、ｃｏｍｐｒｉｓｅｓ、ｃｏｍｐｒｉｓｉｎｇ、ｃｏｎｔａｉｎ、ｃｏｎｔａｉｎｓ、ｃｏｎｔａｉｎｉｎｇ、ｉｎｃｌｕｄｅ、ｉｎｃｌｕｄｅｓ、及びｉｎｃｌｕｄｉｎｇ）は全て、非限定的であることを意味する。
【００２１】
本明細書で使用するとき、用語「水溶性」は、２０℃の温度及び大気圧下で測定される、脱イオン水１リットルあたり約３０グラム（ｇ／Ｌ）超の溶解度を有することを指す。本明細書で使用するとき、用語「実質的に水溶性」は、２０℃の温度及び大気圧下で測定される、脱イオン水１リットルあたり約２５グラム（ｇ／Ｌ）超の溶解度を有することを指す。
【００２２】
本明細書で使用する場合、用語「シート」は、厚さ、長さ、及び幅を有する三次元形状であって、長さ対厚さのアスペクト比と、幅対厚さのアスペクト比とがともに、少なくとも約５：１であり、長さ対幅のアスペクト比は、少なくとも約１：１である三次元形状を指す。好ましくは、長さ対厚さのアスペクト比と、幅対厚さのアスペクト比とがともに、少なくとも約１０：１であり、長さ対幅のアスペクト比は、少なくとも約１．２：１である。より好ましくは、長さ対厚さのアスペクト比と、幅対厚さのアスペクト比とはともに、少なくとも約１５：１であり、長さ対幅のアスペクト比は、少なくとも約１．５：１である。最も好ましくは、長さ対厚さのアスペクト比と、幅対厚さのアスペクト比とはともに、少なくとも約２０：１であり、長さ対幅のアスペクト比は、少なくとも約１．６１８：１である。
【００２３】
本明細書で使用するとき、用語「非繊維性」は、ある構造体が繊維要素を含まないか、又は実質的に含まない構造体であることを指す。本明細書で使用するとき、「繊維要素」は、長さがその平均直径を大きく上回る、すなわち具体的には、長さ対平均直径の比が少なくとも約１０：１であり、かつ平均直径が、１ｍｍを超えない、細長い微粒子を意味する。
【００２４】
本明細書で使用するとき、用語「洗濯洗剤」は、汎用又は「強力」洗浄剤、特に布地用の洗浄洗剤、及び例えば漂白剤、すすぎ補助剤、添加剤、又は前処理タイプなどの洗浄助剤を指す。
【００２５】
本明細書で使用するとき、用語「カラーコントラスト（ΔＥ）」は、ＣＩＥＬａｂ座標値で測定される個別領域同士の間の平均カラー差ΔＥを指す。ＣＩＥＬａｂは、国際照明委員会（以下、「ＣＩＥ」）１９７６規格をもとにした、数学的なカラースケールである。ＣＩＥＬａｂによって、デカルトｘｙｚ空間に類似する３次元空間内に各色をプロットするのが可能になっている。いかなる色も、その３つの色価、Ｌ＊、ａ＊、ｂ＊（それぞれ明度／視感度、彩度、及び色相に対応する）に従って、３次元のユークリッド座標系の１点としてＣＩＥＬａｂ空間にプロットされ得る。用語「Ｌａｂカラー」又は「Ｌ＊ａ＊ｂ＊色空間」は、比較的高いレベルの精度で知覚色を特徴付け、定量的に表すために、当業者によって使用されるカラーモデルを指す。そのため、Ｌ＊ａ＊ｂ＊色空間は、通常の観察者が視覚的に実際に認識し得る色域を表すのに使用され得る。したがって、当業者であれば、まず、各色をＣＩＥＬａｂ空間内の色価又は座標（Ｌ＊、ａ＊、ｂ＊）によって定義される点として各色をプロットし、次いで、２つの点Ａ及びＢ間のユークリッド距離を計算することによって、任意の２つの色ＡとＢとの間の知覚色差（ΔＥ）を近似することができる（ΔＥ＊Ｌａｂ＝［（Ｌ＊Ａ−Ｌ＊Ｂ）２＋（ａ＊Ａ−ａ＊Ｂ）２＋（ｂ＊Ａ−ｂ＊Ｂ）２］１／２）。２つの領域間のカラーコントラストに言及する場合、それは同じ領域内の知覚可能な色の変化がほとんど又は全くない（すなわち、同じ領域内の任意の２つの点内のカラーコントラストは２未満であり、より好ましくは１未満である）という条件で、それぞれが２つの領域内にある点同士間の平均的な近似知覚色差を意味する。
【００２６】
本明細書で使用するとき、用語「水溶解度」は、２０℃の温度及び大気圧下で一定時間、全く撹拌せずに、試料材料が水に溶解する能力を指す。このパラメータを測定するには、まず、１０ｇの試料材料を、１リットルの脱イオン水中に、２０℃の温度及び大気圧下で、全く撹拌せずに、１分間置く。次いで、残りの未溶解固形分を溶液から濾過し、直ちに秤量する（ただし、乾燥させずに行う）。水溶解度は、
【００２７】
【数１】
2020507646.tif 000003
として計算される。
【００２８】
本明細書で使用するとき、用語「界面活性剤活性度」は、本発明による洗濯洗剤シート中の界面活性剤の総重量百分率を指す。
【００２９】
本明細書で使用するとき、用語「〜から本質的になる（consisting essentially of）」は、組成物が、明示的に開示される成分の利益又は機能に干渉する成分を含有しないことを意味する。更に、用語「〜を本質的に含まない（essentially free of）」又は「〜を実質的に含まない（substantially free of/from）」は、そこに示された材料が、０重量％〜約１重量％、好ましくは０重量％〜約０．５重量％、又はより好ましくは０重量％〜約０．１重量％の量で存在していること、そして最も好ましくは、分析的に検出可能な濃度で存在しないことを意味する。用語「実質的に純粋な（substantially pure）」又は「本質的に純粋な（essentially pure）」は、そこに示された材料が、約９９．５重量％〜約１００重量％、好ましくは約９９．９重量％〜約１００重量％、より好ましくは９９．９９重量％〜約１００重量％の量で存在することを意味し、そして最も好ましくは、全ての他の材料が、分析的に検出可能な濃度未満の不純物としてのみ存在することを意味する。
【００３０】
本明細書で使用する場合、全ての濃度及び比は、特に明記しない限り、重量に基づくものである。本明細書における全ての温度は、特に断らない限り、摂氏（℃）を単位とする。本明細書における全ての条件は、特に明記しない限り、２０℃の温度及び大気圧下である。特に明記しない限り、ポリマーの分子量は全て、重量平均数分子量により決定される。
【００３１】
非繊維性洗濯洗剤シート
本発明の洗濯洗剤シートは非繊維性であるが、それはすなわち、繊維要素を含まないか又は実質的に含まないということである。このような洗濯洗剤シートは、最初に、水中に溶解又は分散された原料を含有するスラリーを用意し、次に、スラリーをシート状の形態へと成形することにより、形成することができる。乾燥は、成形工程と同時に行うか、あるいはその後に実行するかのいずれかで実施することができ、乾燥により、水を除去して、水分をほとんど又は全く含まない（例えば、約３重量％以下の水しか含まない）、完成したシートを形成する。
【００３２】
本発明の洗濯洗剤シートは、完全に又は実質的に水溶性である。換言すれば、従来の洗濯洗剤シートの一部のものは非水溶性基材を含有するが、本発明の洗濯洗剤シートは、そうした基材を含有しない。本発明の洗濯洗剤シートは、以下に指定される試験方法に従って測定して、少なくとも９０％、好ましくは少なくとも９５％、より好ましくは少なくとも９８％、そして最も好ましくは少なくとも９９％の水溶解度を有する。好ましくは、本発明の洗濯洗剤シート全体が、２０℃の温度及び大気圧下で撹拌することなく、１５秒以内、より好ましくは１０秒以内、そして更に好ましくは５秒以内に、脱イオン水１リットル中に完全に、すなわち、溶液中に可視残留物を残さずに溶解することができる。
【００３３】
本発明の洗濯洗剤シートは、その厚さ、その長さ、及びその幅が、少なくとも約５：１の長さ対厚さのアスペクト比、少なくとも約５：１の幅対厚さのアスペクト比、及び少なくとも約１：１の長さ対幅のアスペクト比により特徴付けられる限り、任意の形状又は寸法を有することができる。好ましくは、長さ対厚さのアスペクト比と、幅対厚さのアスペクト比とがともに、少なくとも約１０：１であり、長さ対幅のアスペクト比は、少なくとも約１．２：１である。より好ましくは、長さ対厚さのアスペクト比と、幅対厚さのアスペクト比とはともに、少なくとも約１５：１であり、長さ対幅のアスペクト比は、少なくとも約１．５：１である。最も好ましくは、長さ対厚さのアスペクト比と、幅対厚さのアスペクト比とはともに、少なくとも約２０：１であり、長さ対幅のアスペクト比は、少なくとも約１．６１８：１である。本発明の洗濯洗剤シートの厚さは、約０．１ｍｍ〜約１０ｍｍ、好ましくは約０．２ｍｍ〜約５ｍｍ、より好ましくは約０．３ｍｍ〜約４ｍｍ、最も好ましくは約０．５ｍｍ〜約２ｍｍの範囲であり得る。洗濯洗剤シートの幅は、約２ｃｍ〜約１ｍ、好ましくは約５ｃｍ〜約５０ｃｍ、より好ましくは約１０ｃｍ〜約４０ｃｍの範囲であり得る。洗濯洗剤シートの長さは、約２ｃｍ〜約５０ｍ、好ましくは約５ｃｍ〜約１ｍ、より好ましくは約１０ｃｍ〜約８０ｃｍの範囲であり得る。
【００３４】
本発明の好ましいが必須ではない実施形態では、洗濯洗剤シートは、黄金長方形形状を有し（すなわち、約１．６１８：１の長さ対幅のアスペクト比を有する）、約１０〜１５ｃｍの幅及び約０．５ｍｍ〜約２ｍｍの厚さにより特徴付けられる。このような黄金比の長方形形状は、消費者にとって審美的に心地良く、かつ喜ばしいものであり、そのため、このような形状の複数のシートは積み重ねられて、同様の黄金比の長方形形状により特徴付けられる容器にまとめてパッケージされて販売され得る。
【００３５】
本発明の代替的な実施形態では、洗濯洗剤シートは、細長い形状（すなわち、約１０〜５０：１の長さ対幅のアスペクト比を有する形状）を有し、また、約１０ｃｍ〜１５ｃｍの幅及び約０．５ｍｍ〜約２ｍｍの厚さによって特徴付けられる。この細長形状により、洗濯洗剤シートをコンパクトな単位に巻いたり折り畳んだりして、包装、保管、出荷、及び陳列を容易にすることが可能にする。
【００３６】
本発明の洗濯洗剤シートは、界面活性剤活性度が十分に高いこと、例えば、少なくとも３０％、好ましくは少なくとも５０％、より好ましくは少なくとも６０％、そして最も好ましくは少なくとも７０％であることを特徴とする。このように高い界面活性剤活性度は、非常にコンパクトで濃縮された形態の洗濯洗剤を提供し、このような洗濯洗剤は、しばしば旅行をし、旅先で選択をする必要がある消費者にとって特に便利である。更に、このようなコンパクトでかつ濃縮された形態の出荷及び取り扱いコストは、従来の粉末又は液体形態の洗濯洗剤と比較して著しく低減され、これにより、本発明の洗剤製品は、電子商取引チャネルを介して市販されることが特に望ましいものとなっている。
【００３７】
好ましくは、本発明の洗濯洗剤シートは、消費者にとって本発明の洗濯洗剤シートを審美的に心地良いものとする、特定の属性を有する。例えば、シートは、比較的滑らかな表面を有し得るが、その場合には、消費者が触れた場合に心地良いと思う感触を、そのシートは提供する。更に、その洗濯洗剤シートは、その表面上に、知覚可能な細孔をほとんど又は全く有さないことが望ましい。
【００３８】
また、本発明の洗濯洗剤シートは、その構造的一体性を損なうことなく、相当に大きな機械的力に耐えるのに十分な強度であると同時に、それでもなお包装及び保管を容易にするために十分な可撓性を有していることも望ましい。
【００３９】
布地色相剤によって形成された印刷図形
図２は、本発明による非繊維性洗濯洗剤シート１０を示し、その非繊維性洗濯洗剤シート１０は、少なくとも第１の平面１２及び第２の、反対側の平面１４を含む。第１の平面１２及び第２の平面１４は、好ましくは互いに平行であるが、その一方で、かかる第１の平面１２と第２の平面表面１４との間の距離は、上述のように非繊維性洗濯洗剤シート１２の厚さを画定する。
【００４０】
本発明による非繊維性洗濯洗剤シート１０の第１の平面１２は、少なくとも１種の図形パターンをその上に有し、その少なくとも１種の図形パターンは、少なくとも１種の布地色相剤を印刷することによって形成されている。このような図形パターンは、個別領域１１を画定するが、この個別領域１１は、１つ以上の周囲の個別領域１３と視覚的コントラストをなしている。それは、個別領域１３が、このような布地色相剤を完全に欠いているからであり、あるいはこのような布地色相剤を領域１１よりも相当に低い濃度で含有するからであり、またあるいは個別領域１３が含有する布地色相剤が、個別領域１１が含有しているものとは異なっているからである。このような視覚的コントラストは、図形パターンによって画定される、上記のような個別領域１１と、１つ以上の周囲の個別領域１３との間に、少なくとも約２のカラーコントラスト（ΔＥ）があることによって、定性的に画定することができる。個別領域１１と周囲の個別領域１３との間の視覚的コントラストは、個別領域１１が消費者に視覚的に目立つことを可能にし、消費者に、とても強い視覚的印象及び審美的印象をもたらす。
【００４１】
これは、図１に示すように、均質に分布した又は分散した着色剤を含有する、従来の非繊維性洗濯洗剤シートとは非常に異なるものである。具体的には、従来の非繊維性洗濯洗剤シート１は、その２つの平面２及び４の両方全体に、均一に分布又は分散した着色剤３（必ずしも布地色相剤ではない）を含有し得る。それら両方から、均一に分布した色が着色剤３によって付与され、消費者によって観察可能になっている。着色剤３が布地色相剤である場合、そのような着色剤３により付与される色は、かかる布地色相剤の濃淡及び濃度によって不可避的に影響され、これは消費者には心地良くない、あるいは望ましくない場合がある。
【００４２】
布地色相剤を濃縮して個別領域に配置して、非繊維性洗濯洗剤シート上に図形パターンを形成することにより、本発明は、色相染料の洗濯洗剤シートへの組み込みに関連する従来の問題に対する解決策を提供する。一方で、布地色相剤を含有するこのような個別の図形パターンは、使用前に洗濯洗剤シート上で、（単に背景色となる代わりに）それ自体が審美的な装飾になり、それによって審美的にマイナスだったものが審美的にプラスのものになり、そのような洗濯洗剤シートを消費者にとって、より（見た目を悪くする代わりに）見た目の良いものとする。一方、今や布地色相剤を自由に投与することができるので、洗濯洗剤シートによる処理を通して布地に必要とされるだけの白色性改善効果を提供する。
【００４３】
好ましくは、個別領域１１と個別領域１３との間のカラーコントラスト（ΔＥ）は、少なくとも約２．３、より好ましくは少なくとも約３、更により好ましくは少なくとも約５、そして最も好ましくは少なくとも約６である。
【００４４】
好ましくは、分離領域１１は、面積が約１ｃｍ２超、好ましくは約２ｃｍ２超、より好ましくは約５ｃｍ２超、そして最も好ましくは約１０ｃｍ２超の面積を有する。１つ以上の周囲の領域１３は、好ましくは、面積が約１ｃｍ２超、好ましくは約５ｃｍ２超、より好ましくは約１０ｃｍ２超、そして最も好ましくは約１５ｃｍ２超の面積を有する。個々の具体的な個別領域のエリアは、そのような領域の連続する外側境界によって画定されるが、それにも関わらず、かかる外側境界の内部に色の異なる別の個別領域が存在し得る。例えば、個別領域Ａは、布地色相剤を有する正方形の図形パターンによって画定されてもよく、その一方で、このような正方形の図形パターンの内部に、そのような布地色相剤を欠いている、別の円形の個別領域Ｂが存在する。そのため、個別領域Ａの面積は、円形の個別領域Ｂの面積を減算することなく、正方形の図形パターンの面積に基づいて計算される。
【００４５】
更に、非繊維性洗濯洗剤シート１０の第２の平らな表面すなわち反対側の表面１４はまた、表面１２上に図形パターンを印刷するために使用されるものと同じ又はそれとは異なる布地色相剤を印刷することによって形成される、追加的な図形パターンをその上に含んでもよい。このような追加の図形パターンは、１つ以上の周囲の個別領域１７と視覚的にコントラストをなす別の個別領域１５を画定するが、上記の周囲の個別領域１７は、布地色相剤を完全に欠いているか、又は領域１５よりも相当に低い濃度で含有するか、又は個別領域１５とは異なる布地色相剤のいずれかを含有する。このような視覚的コントラストはまた、個別領域１５と１７との間の、少なくとも２であるカラーコントラスト（ΔＥ）によって定性的に画定され得る。
【００４６】
また更に、図４は、本発明による非繊維性洗濯洗剤シート２０の別の実施形態を示す。このようなシート２０は、布地色相剤の濃度が高いことによって形成される図形パターンによって画定される第１の個別領域２１と、そのような布地色相剤を完全に欠いている第２のすなわち周囲の個別領域２３と、より低い濃度の同じ布地色相剤又は異なる色の別の布地色相剤のいずれかによって形成される第３の個別領域２５（第１の個別領域２１の内部に存在）と、を含む平らな表面２２を有する。
【００４７】
図形パターンの形状及びサイズ、並びに布地色相剤の濃度及び色は、広く異なり得るが、それゆえ本明細書に網羅的に例示することはできないものの、その全てが本発明の趣旨及び範囲内にあるものである。
【００４８】
本発明の図形が印刷された非繊維性洗濯洗剤シートは、様々な用途で使用され得ることを理解されたい。一部の実施形態では、このようなシートは、更に、小袋を形成するために使用され得る。例えば、図形が印刷された非繊維性洗濯洗剤シートは、小袋壁材料を形成するように構成されるが、その小袋壁材料は、小袋の内部空間が、小袋壁材料により少なくともその一部又はその全体が画定され囲まれるような、１つ以上の小袋壁を形成するものである。一部の用途においては、小袋の内容物（例えば、粉末形態の界面活性剤、又は他の洗濯洗剤添加剤成分）は、少なくとも小袋が、例えばその使用中に破裂してその内容物を放出するまで、小袋の内部空間の中に含まれ及び保持されていてもよい。したがって、本明細書における非繊維性洗濯洗剤シートから作られる小袋壁材料は、小袋の内壁面及び／又は外壁面に位置し得る、印刷された図形を含み得る。小袋の内壁面に位置した図形は、好ましくは外壁面を通して見えるように構成され得る。
【００４９】
布地色相剤
本発明で使用される布地色相剤は、布地の知覚される白色度を改善するために、洗濯洗剤組成物に配合されて、洗浄液から布地上に沈着することができる任意の着色剤であってもよい。布地色相剤は、典型的には青色又は紫色であり、好ましくはこのような布地色相剤は、約５５０ｎｍ〜約６５０ｎｍ、又は約５７０ｎｍ〜約６３０ｎｍのピーク吸収波長を有する。ある具体的な実施形態では、布地色相剤は複数の着色剤を組み合わせたものであってよいが、それらは一体となって、ポリエステル上で約５５０ｎｍ〜約６５０ｎｍ、又は約５７０ｎｍ〜約６３０ｎｍのピーク吸収波長を有する単一の着色剤として人間の目に視覚効果を及ぼすものである。これは、例えば赤と青緑の染料とを混合して青又は紫の濃淡を生じさせることにより提供され得る。
【００５０】
布地色相剤は、染料、染料−粘土複合体、有機顔料、無機顔料、及びこれらの組み合わせからなる群から選択されてもよい。
【００５１】
染料は、典型的には、界面活性剤を含有する水性媒体に対する可溶性を有する着色有機分子である（なお、これとは対照的に、顔料は、典型的には水性媒体に対する可溶性を有さない）。染料としては、低分子染料及び高分子染料が挙げられ得る。
【００５２】
好適な低分子染料は、直接染料、塩基性染料、反応性染料、溶媒染料、分散染料、及びこれらの組み合わせからなる群から選択され得る。より好ましくは、好適な低分子染料としては、色指数分類（Colour Index（Ｃ．Ｉ．））において、ダイレクトブルー、ダイレクトバイオレット、アシッドブルー、アシッドバイオレット、ベーシックブルー、ベーシックバイオレット、及びこれらの混合物に該当する染料からなる群から選択され得る。好適な染料の例は、バイオレットＤＤ、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブルー２９、ソルベントバイオレット１３、ディスパースバイオレット２７、ディスパースバイオレット２６、ディスパースバイオレット２８、ディスパースバイオレット６３、及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、リアクティブブルー１９、リアクティブブルー１６３、リアクティブブルー１８２、リアクティブブルー９６、チアゾリウム染料、Ｌｉｑｕｉｔｉｎｔ（登録商標）Ｖｉｏｌｅｔ  ＣＴ（Ｍｉｌｌｉｋｅｎ，Ｓｐａｒｔａｎｂｕｒｇ，ＵＳＡ）、及びＡｚｏ−ＣＭ−Ｃｅｌｌｕｌｏｓｅ（Ｍｅｇａｚｙｍｅ，Ｂｒａｙ，Ｒｅｐｕｂｌｉｃ  ｏｆ  Ｉｒｅｌａｎｄ）である。他の好適な色相剤は、スルホン化フタロシアニン亜鉛とダイレクトバイオレット９９との複合体等の色相染料−光漂白剤複合体である。特に好適な色相剤は、アシッドレッド５２とアシッドブルー８０との組み合わせ、又はダイレクトバイオレット９とソルベントバイオレット１３との組み合わせである。
【００５３】
本発明の特に好ましい実施形態では、布地色相剤は以下の構造を有する。
【００５４】
【化１】
2020507646.tif 000004
式中、指数ｘ及びｙは、独立して、１〜１０から選択される。
【００５５】
本発明の別の好ましい実施形態では、布地色相剤は以下の構造を有する。
【００５６】
【化２】
2020507646.tif 000005
式中、Ｒ１及びＲ２は、独立して、水素、アルキル、アルコキシ、アルキレンオキシ、アルキルキャップ化アルキレンオキシ、ウレア、及びアミドからなる群から選択され、Ｒ３は、置換アリール基であり、Ｘはスルホンアミド部分並びに任意にアルキル及び／又はアリール部分を含む置換基であり、ここで、置換基は、少なくとも４つのアルキレンオキシ部分の平均モル分布を含む少なくとも１つのアルキレンオキシ鎖から構成される。
【００５７】
蛍光染料は、単独で又は上記の染料と組み合わせて、布地色相効果を達成するために使用することができる染料の別の群である。好適な蛍光染料としては、ジアミノスチルベン、ジスチリルビフェニル、及びこれらの組み合わせが挙げられるが、これらに限定されない。好ましくは、このような蛍光染料は、ジナトリウム４，４’−ビス｛［４−アニリノ−６−モルホリノ−ｓ−トリアジン−２−イル］−アミノ｝−２，２’−スチルベンジスルホネート（「蛍光増白剤２６０」とも呼ばれる）、ジナトリウム４，４”−ビス［（４，６−ジ−アニリノ−ｓ−トリアジン−２−イル）−アミノ］−２，２’−スチルベンジスルホネート、ジナトリウム４，４’−ビス｛［４−アニリノ−６−［ビス（２−ヒドロキシエチル）アミノ−ｓ−トリアジン−２−イル］アミノ｝−２，２’−スチルベンジスルホネート、ジナトリウム２，２’−（［１，１’−ビフェニル］−４，４’ジイルジビニレン）ビス（ベンゼンスルホネート）（「蛍光増白剤３５１」とも呼ばれる）、及びこれらの組み合わせから選択される。蛍光染料は、３μｍ〜３０μｍ、又は３μｍ〜２０μｍ、又は３μｍ〜１０μｍの範囲内の重量平均粒径の微粉化粒子形態でよい。光沢剤は、α又はβ結晶形態でもよい。
【００５８】
本発明の非繊維性洗濯洗剤シートで使用される布地色相剤の量は、かかる非繊維性洗濯洗剤シートの総重量に対して約０．０１％〜約１．２％の範囲であり得る。しかしながら、この量の布地色相剤をベースシート自体に混合する代わりに、まず印刷インク混合物に配合し、次いで非繊維性洗濯洗剤シートの平らな表面の一方又は両方の上に印刷して、その上に視覚的に区別可能な図形パターンを形成する。
【００５９】
界面活性剤
本発明の非繊維性洗濯洗剤シートは、アニオン性界面活性剤、非イオン性界面活性剤、両性界面活性剤、カチオン性界面活性剤、及びこれらの組み合わせからなる群から選択される、少なくとも１種の界面活性剤を含んでよい。このような少なくとも１つの界面活性剤は、非繊維性洗濯洗剤シート中に界面活性剤系を形成し、この界面活性剤系は、非繊維性洗濯洗剤シートの総重量に対して約５％〜約９０％、好ましくは約１０％〜約９０％の範囲、より好ましくは、約２０％〜約９０％の範囲、更により好ましくは約３０％〜約９０％の範囲、そして最も好ましくは約５０％〜約９０％の範囲の量で存在し得る。
【００６０】
本発明の特に好ましいが必須ではない実施形態では、洗濯洗剤シートは、アニオン性界面活性剤のみ、例えば、単一のアニオン性界面活性剤、又は２種以上の異なるアニオン性界面活性剤の組み合わせのどちらかを含有する、界面活性剤系を有してよい。あるいは、本発明の洗濯洗剤シートは、例えば、１種以上のアニオン性界面活性剤と１種以上の非イオン性界面活性剤との組み合わせ、又は１種以上のアニオン性界面活性剤と１種以上の両性界面活性剤との組み合わせ、１種以上のアニオン性界面活性剤と１種以上の両性界面活性剤との組み合わせ、又は１種以上のアニオン性界面活性剤と１種以上のカチオン性界面活性剤との組み合わせ、又は上記の種類の界面活性剤の全て（すなわち、アニオン性、非イオン性、両性、及びカチオン性）の組み合わせを含有する複合界面活性剤系を有していてもよい。必ずしも必須はないもが好ましくは、本発明の洗濯洗剤シートは、１種以上のアニオン性界面活性剤と１種以上の非イオン性界面活性剤との組み合わせを含有する複合界面活性剤系を有する。
【００６１】
アニオン性界面活性剤
本発明の洗濯洗剤シートを形成するのに好適なアニオン性界面活性剤は、Ｃ６〜Ｃ２０直鎖状又は分枝鎖状アルキルベンゼンスルホネート（ＬＡＳ）、Ｃ６〜Ｃ２０直鎖状又は分枝鎖状アルキルサルフェート（ＡＳ）、Ｃ６〜Ｃ２０直鎖状又は分岐鎖状アルキルアルコキシル化サルフェート（ＡＡＳ）、Ｃ６〜Ｃ２０直鎖状又は分岐鎖状アルキルスルホネート、Ｃ６〜Ｃ２０直鎖状又は分枝鎖状アルキルカルボキシレート、Ｃ６〜Ｃ２０直鎖状又は分枝鎖状アルキルホスフェート、Ｃ６〜Ｃ２０直鎖状又は分枝鎖状アルキルホスホネート、及びこれらの組み合わせからなる群から容易に選択できる。本発明の好ましいアニオン性界面活性剤は、ＬＡＳ、ＡＳ、ＡＡＳ、及びこれらの組み合わせからなる群から選択される。非繊維性洗濯洗剤シート中のアニオン性界面活性剤の総量は、その洗濯洗剤シートの総重量に対して５％〜９０％、好ましくは１０％〜８０％、より好ましくは２０％〜７５％、そして最も好ましくは３０％〜７０％の範囲であり得る。
【００６２】
ミッドカットＡＳ
本発明の非繊維性洗濯洗剤シートを形成するための特に好ましい種類のアニオン性界面活性剤は、Ｃ６〜Ｃ１８のアルキルサルフェート（ＡＳ）であり、これは以下では「ミッドカットＡＳ（mid-cut AS）」と称され、そのそれぞれは、約６個〜約１８個の炭素原子を含有する分枝鎖状又は直鎖状の非アルコキシル化アルキル基を有する。本発明の特に好ましい実施形態では、ミッドカットＡＳは、洗濯洗剤シート中の主要な界面活性剤として存在する。すなわち、当該シート中の全ての界面活性剤の総重量に対して、約５０％超の量でミッドカットＡＳが存在する一方で、（例えば、ＬＡＳ、及び／又はＡＡＳのような）別のアニオン性界面活性剤は、そのようなミッドカットＡＳの補助界面活性剤として存在する。
【００６３】
本発明のミッドカットＡＳは、Ｒ−Ｏ−ＳＯ３−Ｍ＋の一般式を有するが、式中、Ｒは、分枝鎖状又は直鎖状の非アルコキシル化Ｃ６〜Ｃ１８アルキル基であり、Ｍは、アルカリ金属、アルカリ土類金属、又はアンモニウムのカチオンである。好ましくは、ＡＳ界面活性剤のＲ基は、約８個〜約１６個の炭素原子、より好ましくは約１０個〜約１４個の炭素原子、最も好ましくは約１２個〜約１４個の炭素原子を含有する。Ｒは、置換又は非置換であってよく、好ましくは非置換である。Ｒは、実質的に任意のアルコキシル化がされていない。Ｍは、好ましくはナトリウム、カリウム、又はマグネシウムのカチオンであり、より好ましくは、Ｍはナトリウムカチオンである。
【００６４】
このようなミッドカットＡＳ界面活性剤（複数可）は、好ましくは、本発明の非繊維性洗濯洗剤シートの界面活性剤系中で、主要な界面活性剤として機能する。換言すれば、ミッドカットＡＳ界面活性剤（複数可）は、洗濯洗剤シート中の全ての界面活性剤の総重量に対して５０％超の量で存在する。
【００６５】
必須ではないが好ましくは、本発明の界面活性剤系は、ミッドカットＡＳ界面活性剤の混合物を含有し、Ｃ６〜Ｃ１４のＡＳ界面活性剤が、上記混合物の総重量に対して、約８５％〜約１００％の範囲の量で存在する。この混合物は、「Ｃ６〜Ｃ１４がリッチなＡＳ混合物」と称される場合がある。より好ましくは、このようなＣ６〜Ｃ１４リッチＡＳ混合物は、約９０重量％〜約１００重量％、又は９２重量％〜約９８重量％、又は約９４重量％〜約９６重量％、又は１００重量％（すなわち、純粋）の、Ｃ６〜Ｃ１４のＡＳを含有する。
【００６６】
本発明の特に好ましい実施形態では、界面活性剤系は、約３０重量％〜約１００重量％、又は約５０重量％〜約９９重量％、好ましくは約６０重量％〜約９５重量％、より好ましくは約６５重量％〜約９０重量％、そして最も好ましくは約７０重量％〜約８０重量％のＣ１２〜Ｃ１４のＡＳ（これらは「Ｃ１２〜Ｃ１４リッチＡＳ混合物」と称される場合がある）を含む、ミッドカットＡＳ界面活性剤の混合物を含有する。好ましくは、このようなＣ１２〜Ｃ１４リッチＡＳ混合物は、その半分以上を占めるＣ１２  ＡＳを含有する。本発明の最も好ましい実施形態では、界面活性剤系は、Ｃ１２及び／又はＣ１４のＡＳ界面活性剤、例えば、１００％のＣ１２  ＡＳ、又は約７０重量％〜約８０重量％のＣ１２  ＡＳ及び２０重量％〜約３０重量％のＣ１４  ＡＳからなり、少量のその他のＡＳ界面活性剤をその中に有する、又はその他のＡＳ界面活性剤をその中に有さない、ミッドカットＡＳ界面活性剤の混合物を含有する。
【００６７】
本発明の実施に特に好適な市販のミッドカットＡＳ混合物は、Ｃｏｇｎｉｓ（Ｍｏｎｈｅｉｍ，Ｇｅｒｍａｎｙ）からの、Ｔｅｘａｐｏｎ（登録商標）Ｖ９５Ｇである。
【００６８】
更に、本発明の界面活性剤系は、約５０重量％超、好ましくは約６０重量％超、より好ましくは７０重量％超又は８０重量％、そして最も好ましくは９０重量％超、又は更には１００重量％（すなわち、実質的に純粋）の、例えば、Ｃ６、Ｃ８、Ｃ１０、Ｃ１２、Ｃ１４、Ｃ１６、及びＣ１８のＡＳ界面活性剤を含み、偶数の炭素原子を有する直鎖状のＡＳ界面活性剤を含む、ミッドカットＡＳ界面活性剤の混合物を含有してよい。
【００６９】
本発明で使用されるミッドカットＡＳ界面活性剤の量は、非繊維状洗濯洗剤シートの総重量に対して、約５％〜約９０％、好ましくは約１０％〜約８０％、より好ましくは約２０％〜約７５％、そして最も好ましくは約３０％〜約７０％の範囲であってよい。本発明の最も好ましい実施形態では、非繊維性洗濯洗剤シートは、このようなシートの総重量に対して、約１０重量％〜約６０重量％、好ましくは約２０重量％〜約５０重量％の純粋なＣ１２  ＡＳ又はＣ１２〜Ｃ１４リッチＡＳ混合物を含有する一方で、Ｃ１２〜Ｃ１４リッチＡＳ混合物は、このような混合物の総重量に対して、約７０重量％〜約８０重量％のＣ１２  ＡＳ及び２０重量％〜約３０重量％のＣ１４  ＡＳを含有する。
【００７０】
ＬＡＳ
本発明の非繊維性洗濯洗剤シートは、主界面活性剤として単独で、又は好ましくは、その補助界面活性剤として上述のようなミッドカットＡＳと組み合わせて、Ｃ６〜Ｃ２０直鎖状アルキルベンゼンスルホネート（ＬＡＳ）を含有してもよい。本発明の特に好ましい実施形態では、ＬＡＳは、洗濯洗剤シート中の主要な界面活性剤として存在する。すなわち、当該シート中の全ての界面活性剤の総重量に対して、約５０％超の量でＬＡＳが存在する一方で、（例えば、ミッドカットＡＳ、及び／又はＡＡＳのような）他のアニオン性界面活性剤は、そのようなＬＡＳの補助界面活性剤として存在する。
【００７１】
ＬＡＳアニオン性界面活性剤は、当該技術分野において周知であり、市販の直鎖状アルキルベンゼンをスルホン化することによって容易に入手することができる。本発明で使用することができる、代表的なＣ６〜Ｃ２０直鎖状アルキルベンゼンスルホネートとしては、Ｃ６〜Ｃ２０直鎖状アルキルベンゼンスルホン酸のアルカリ金属塩、アルカリ土類金属塩、又はアンモニウム塩、並びに好ましくは、Ｃ１１〜Ｃ１８若しくはＣ１１〜Ｃ１４直鎖状アルキルベンゼンスルホン酸のナトリウム塩、カリウム塩、マグネシウム塩、及び／又はアンモニウム塩が挙げられる。より好ましいものは、Ｃ１２直鎖状アルキルベンゼンスルホン酸のナトリウム塩又はカリウム塩であり、最も好ましいものは、Ｃ１２直鎖状アルキルベンゼンスルホン酸のナトリウム塩、すなわち、ドデシルベンゼンスルホン酸ナトリウムである。
【００７２】
本発明の非繊維性洗濯洗剤シート中にＬＡＳが存在する場合にその量は、その洗濯洗剤シートの総重量に対して、約５％〜約９０％、好ましくは約１０％〜約８０％、より好ましくは約２０％〜約７５％、そして最も好ましくは約３０％〜約７０％の範囲であってよい。本発明の最も好ましい実施形態では、非繊維性洗浄シートは、約５重量％〜約２０重量％の、Ｃ１２直鎖状アルキルベンゼンスルホン酸のナトリウム塩、カリウム塩、又はマグネシウム塩を含有する。
【００７３】
ＡＡＳ
本発明の非繊維性洗濯洗剤シートは、単独で主要な界面活性剤として、又は好ましくは、補助界面活性剤として本明細書で上述したミッドカットＡＳ及び／若しくはＬＡＳと組み合わせて、のどちらかで、約０．１〜約５の範囲の平均アルコキシル化度を有する、Ｃ１０〜Ｃ２０直鎖状又は分枝鎖状アルキルアルコキシサルフェート（ＡＡＳ）を含有してよい。
【００７４】
ＡＡＳ界面活性剤は、好ましくは、以下の式（Ｉ）で表現される、Ｃ１０〜Ｃ２０直鎖状又は分枝鎖状アルキルエトキシサルフェート（ＡＥＳ）である。
Ｒ−Ｏ−（Ｃ２Ｈ４Ｏ）Ｘ−ＳＯ３−Ｍ＋      （Ｉ）、
式中、Ｒは、飽和又は不飽和のいずれかで、１０個〜２０個の炭素原子を有する直鎖状又は分枝鎖状アルキル鎖であり、ｘは平均すると１〜３であり、Ｍは、アルカリ金属イオン、アンモニウム、又は置換アンモニウムからなる群から選択される。好ましくは、Ｒは、１２個〜１６個の炭素原子を有する、直鎖状又は分枝鎖状アルキル鎖であり、ｘの平均は３であり、Ｍはナトリウムである。本発明の実施に最も好ましいアニオン性界面活性剤は、約３の平均エトキシル化度を有するラウリル硫酸エーテルナトリウムである。
【００７５】
もしＡＡＳ界面活性剤が存在する場合、そのＡＡＳ界面活性剤は、非繊維性洗濯洗剤シートの総重量に対して、約１％〜約３０％、好ましくは約２％〜約２０％、より好ましくは約５％〜約１５％の範囲の量で提供することができる。
【００７６】
非イオン性界面活性剤
本発明の非繊維性洗濯洗剤シートは、本明細書に上述のアニオン性界面活性剤と組み合わせて使用される、１種以上の非イオン性界面活性剤を含有してよい。このような非イオン性界面活性剤（複数可）は、このような非繊維性洗濯洗剤シートの総重量に対して、１％〜４０％、好ましくは２％〜３０％、より好ましくは５％〜２５％、そして最も好ましくは１０％〜２０％の範囲の量で存在してよい。
【００７７】
本明細書で有用な好適な非イオン性界面活性剤は、任意の従来の非イオン性界面活性剤を含むことができる。これらは、例えば、アミンオキシド界面活性剤及びアルコキシル化脂肪族アルコールを含むことができる。非イオン性界面活性剤は、式Ｒ（ＯＣ２Ｈ４）ｎＯＨの、エトキシル化アルコール及びエトキシル化アルキルフェノールから選択されてよく、式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され得、ｎの平均値は、約５〜約１５である。一例では、非イオン性界面活性剤は、アルコール中に平均約２４個の炭素原子及びアルコール１モルあたりエチレンオキシド約９モルの平均エトキシル化度を有する、エトキシル化アルコールから選択される。本明細書で有用な、非イオン性界面活性剤のその他の非限定例としては、Ｃ８〜Ｃ１８アルキルエトキシレート（Ｓｈｅｌｌ社から入手できる、ＮＥＯＤＯＬ（登録商標）非イオン性界面活性剤など）、アルコキシレート単位がエチレンオキシ単位、プロピレンオキシ単位、又はこれらの混合物であり得るＣ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ社製のＰｌｕｒｏｎｉｃ（登録商標）、Ｃ１４〜Ｃ２２中鎖分枝鎖状アルコール、Ｃ１４〜Ｃ２２中鎖分枝鎖状アルキルアルコキシレート（ＢＡＥｘ、式中、ｘは１〜３０である）、アルキル多糖類、具体的にはアルキルポリグリコシド、ポリヒドロキシ脂肪酸アミド、及びエーテルキャップ化ポリ（オキシアルキル化）アルコール界面活性剤が挙げられる。好適な非イオン性界面活性剤はまた、商品名Ｌｕｔｅｎｓｏｌ（登録商標）としてＢＡＳＦ社から販売されているものを含む。
【００７８】
本発明の好ましい非イオン性界面活性剤としては、アルキルポリグルコシド、アルキルアルコール、アルキルアルコキシル化アルコール、アルキルアルコキシレート、アルキルフェノールアルコキシレート、アルキルセルロース、ポリヒドロキシ脂肪酸アミド、エーテルキャップ化ポリ（オキシアルキル化）アルコール界面活性剤が挙げられる。より好ましい実施形態では、非イオン性界面活性剤は、Ｃ８〜Ｃ１８アルキルアルコキシル化アルコール、より具体的には、Ｃ８〜Ｃ１８アルキルエトキシル化アルコールなどの、アルキルアルコキシル化アルコールから選択される。アルキルアルコキシル化アルコールは、約１〜約５０、又は約１〜約３０、又は約１〜約２０、又は約１〜約１０の平均アルコキシル化度を有してよい。アルキルアルコキシル化アルコールは、直鎖状又は分枝鎖状、置換又は非置換であり得る。
【００７９】
最も好ましい実施形態では、本発明の非繊維性洗濯洗剤シートは、その洗濯洗剤シートの総重量に対して、約１％〜約４０％、好ましくは約５％〜約２５％、そしてより好ましくは約１０％〜約２０％の範囲の量で、約１〜約１０、約１〜約８、又は約３〜約７の平均エトキシル化度を有する、Ｃ１２〜Ｃ１４アルキルエトキシル化アルコールを含有する。
【００８０】
補助洗剤成分
本発明の非繊維性洗濯洗剤シートは、任意に、洗浄性能を補助若しくは向上させるために、又はシートの審美性を変更するための、１種以上のその他の補助洗剤成分を含んでよい。このような補助洗剤成分の例示的な例としては、以下が挙げられる：（１）炭酸塩（重炭酸塩及びセスキ炭酸塩を含む）、硫酸塩、リン酸塩（トリポリリン酸塩、ピロリン酸塩、及びガラス質ポリマーメタリン酸塩によって例示される）、ホスホン酸塩、フィチン酸、ケイ酸塩、ゼオライト、クエン酸塩、ポリカルボン酸塩及びその塩（例えば、メリト酸、コハク酸、オキシジコハク酸、ポリマレイン酸、ベンゼン１，３，５−トリカルボン酸、カルボキシメチルオキシコハク酸、及びこれらの可溶性塩）、エーテルヒドロキシポリカルボン酸塩、無水マレイン酸とエチレン又はビニルメチルエーテルとのコポリマー、１，３，５−トリヒドロキシベンゼン−２，４，６−トリスルホン酸、３，３−ジカルボキシ−４−オキサ−１，６−ヘキサンジオエート、ポリ酢酸（例えば、エチレンジアミン四酢酸及びニトリロ三酢酸）及びその塩、脂肪酸（例えば、Ｃ１２〜Ｃ１８モノカルボン酸）などの無機及び／又は有機ビルダー、（２）アミノカルボン酸塩、アミノホスホン酸塩、多官能的に置換された芳香族キレート剤、及びこれらの混合物からなる群から選択される、鉄及び／又はマンガンキレート剤などのキレート剤、（３）水溶性エトキシル化アミン（特に、エトキシル化テトラエチレンペンタミン）などの粘土汚れ除去／再付着防止剤、（４）高分子ポリカルボン酸塩及びポリエチレングリコール、アクリル／マレイン酸系コポリマー、及びこれらの水溶性塩、ヒドロキシプロピルアクリレート、マレイン酸／アクリル／ビニルアルコールターポリマー、ポリエチレングリコール（ＰＥＧ）、ポリアスパルテート及びポリグルタメートなどの、ポリマー分散剤、（５）スチルベン、ピラゾリン、クマリン、カルボン酸、メチンシアニン、ジベンゾチフェン−５，５−ジオキシド、アゾール、５員及び６員環複素環などの誘導体が挙げられるがこれらに限定されない、蛍光増白剤、（６）モノカルボン酸脂肪酸及びその可溶性塩、高分子量炭化水素（例えば、パラフィン、ハロパラフィン、脂肪酸エステル、一価アルコールの脂肪酸エステル、脂肪族Ｃ１８〜Ｃ４０ケトンなど）、Ｎ−アルキル化アミノトリアジン、プロピレンオキシド、モノステアリルホスフェート、シリコーン又はその誘導体、二級アルコール（例えば、２−アルキルアルカノール）、及びこのようなアルコールとシリコーン油との混合物などの抑泡剤、（７）Ｃ１０〜Ｃ１６アルカノールアミド、Ｃ１０〜Ｃ１４モノエタノール及びジエタノールアミド、高起泡性界面活性剤（例えば、アミンオキシド、ベタイン、及びスルタイン）、並びに可溶性マグネシウム塩（例えば、ＭｇＣｌ２、ＭｇＳＯ４など）などの泡増量剤、（８）スメクタイト粘土、アミン柔軟剤、及びカチオン性柔軟剤などの布地柔軟剤、（９）ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、並びにこれらの混合物などの移染防止剤、（１０）プロテアーゼ、アミラーゼ、リパーゼ、セルラーゼ、及びペルオキシダーゼ、並びにこれらの混合物などの酵素、（１１）カルシウム及び／又はマグネシウムイオンの水溶性供給源、ホウ酸又はホウ酸塩（酸化ホウ素、ホウ砂、及び他のアルカリ金属ホウ酸塩など）を含む酵素安定剤、（１２）過炭酸塩（例えば、炭酸ナトリウム過酸化水素化物、ピロリン酸ナトリウム過酸化水素化物、尿素過酸化水素化物、及び過酸化ナトリウム）、過硫酸塩、過ホウ酸塩、マグネシウムモノペルオキシフタレート六水和物、メタクロロ過安息香酸のマグネシウム塩、４−ノニルアミノ−４−オキソペルオキシ酪酸及びジペルオキシドデカン二酸、６−ノニルアミノ−６−オキソペルオキシカプロン酸、及び光活性化漂白剤（例えば、スルホン化亜鉛及び／又はアルミニウムフタロシアニン）などの漂白剤、（１３）ノナノイルオキシベンゼンスルホネート（ＮＯＢＳ）、テトラアセチルエチレンジアミン（ＴＡＥＤ）、アミド由来の漂白活性化剤であって、（６−オクタンアミドカプロイル）オキシベンゼンスルホネート、（６−ノナンアミドカプロイル）オキシベンゼンスルホネート、（６−デカンアミドカプロイル）オキシベンゼンスルホネート、及びこれらの混合物を含むアミド由来の漂白活性化剤、ベンゾオキサジン型活性化剤、アシルラクタム活性化剤（特にアシルカプロラクタム及びアシルバレロラクタム）などの漂白活性化剤、並びに（１４）キャリア、ヒドロトロープ、加工助剤、染料又は顔料、及び固体充填剤が挙げられるがこれらに限定されない、任意のその他の周知の洗剤補助成分。
【００８１】
皮膜形成剤
本発明の非繊維性洗濯洗剤シートは、上述の界面活性剤及び上記の補助洗剤成分に加えて、少なくとも１種の皮膜形成剤を含有する。このような少なくとも１種の皮膜形成剤は、合成又は天然のいずれかに由来する水溶性ポリマーから選択することができ、化学的及び／又は物理的に改質されてもよい。
【００８２】
本発明の実施のための水溶性ポリマーの好適な例としては、ポリアルキレングリコール（ポリアルキレンオキシド又はポリオキシアルキレンとも呼ばれる）、ポリビニルアルコール、多糖類（デンプン又は変性デンプン、セルロース又は変性セルロース、プルラン、キサンタンガム、グアーガム、及びカラギーナン）、ポリアクリレート、ポリメタクリレート、ポリアクリルアミド、ポリビニルピロリドン、及びタンパク質／ポリペプチド又はそれらの加水分解産物（コラーゲン及びゼラチンなど）が挙げられる。好ましくは、本発明で使用される皮膜形成剤は、ポリアルキレングリコール、ポリビニルアルコール、デンプン又は変性デンプン、セルロース又は変性セルロース、ポリアクリレート、ポリメタクリレート、ポリアクリルアミド、ポリビニルピロリドン、及びこれらの組み合わせからなる群から選択される。本発明の特に好ましい実施形態では、非繊維性洗濯洗剤シートは、ポリエチレングリコール（ＰＥＧ）又はポリビニルアルコール（ＰＶＡ）を、単独で（すなわち、その他の皮膜形成剤を含まないで）、又はポリスターチ、変性デンプン、セルロース、若しくは変性セルロースと組み合わせて、のいずれかの方法で、含有する。
【００８３】
ＰＥＧを用いた実施では、ＰＥＧは、約２，０００〜約１００，０００ｇ／ｍｏｌ、好ましくは約４，０００〜約９０，０００ｇ／ｍｏｌ、より好ましくは約６，０００〜約８，０００ｇ／ｍｏｌの重量平均分子量を有するポリ（エチレングリコール）ホモポリマー及びポリ（エチレングリコール）コポリマーから選択されてよい。好適なポリ（エチレングリコール）コポリマーは、好ましくは、少なくとも約５０重量％のＰＥＧを含有し、ポリ（ラクチド−ブロック−エチレングリコール）、ポリ（グリコリド−ブロック−エチレングリコール）、ポリ（ラクチド−コ−カプロラクトン）−ブロック−ポリ（エチレングリコール）、ポリ（エチレングリコール−コ−乳酸）、ポリ（エチレングリコール−コ−グリコール酸）、ポリ（エチレングリコール−コ−ポリ（乳酸−コ−グリコール酸）、ポリ（エチレングリコール−コ−プロピレングリコール）、ポリ（エチレンオキシド−ブロック−プロピレンオキシド−ブロック−エチレンオキシド）、ポリ（プロピレンオキシド−ブロック−エチレングリコール−ブロック−プロピレングリコール）、及びポリ（エチレングリコール−コ−カプロラクトン）からなる群から選択されてよい。代表的なポリ（エチレングリコール）ホモポリマーは、ＣＡＲＢＯＷＡＸ（商標）の商品名にて、Ｓｉｇｍａ−Ａｌｄｒｉｃｈ社又はＤｏｗ社から、又はＰｌｕｒｉｏｌ（登録商標）の商品名にて、ＢＡＳＦ社から市販されている。代表的なポリ（エチレングリコール）コポリマーは、Ｐｌｕｒｏｎｉｃ（登録商標）Ｆ１２７、Ｐｌｕｒｏｎｉｃ（登録商標）Ｆ１０８、Ｐｌｕｒｏｎｉｃ（登録商標）Ｆ６８、及びＰｌｕｒｏｎｉｃ（登録商標）Ｐ１０５の商品名にて、ＢＡＳＦ社から市販されている。本発明の実施に特に好ましいＰＥＧは、約６，０００〜約８０，０００ｇ／ｍｏｌの重量平均分子量を有するポリ（エチレングリコール）ホモポリマーである。
【００８４】
ＰＶＡを用いた実施では、ＰＶＡは、未変性のもの又は変性されたものでよく、例えば、カルボキシル化又はスルホン化されてよい。好ましくは、ＰＶＡは、部分的に又は完全に、アルコール化又は加水分解される。例えば、ＰＶＡは、４０〜１００％、好ましくは７０〜９２％、より好ましくは８８％〜９２％にてアルコール化又は加水分解されてよい。加水分解度は、ＰＶＡが水中に溶解し始める温度に影響することが周知であり、例えば、８８％の加水分解は、冷水（すなわち、室温）中で可溶性のＰＶＡフィルムに対応し、９２％の加水分解は、温水中で可溶性のＰＶＡフィルムに対応する。好ましいＰＶＡの例は、エチオキシル化ＰＶＡである。ＰＶＡのより好ましい例は、Ｓｅｋｉｓｕｉ  Ｓｐｅｃｉａｌｔｙ  Ｃｈｅｍｉｃａｌｓ  Ａｍｅｒｉｃａ，ＬＬＣ（Ｄａｌｌａｓ，Ｔｅｘａｓ）から、商標名ＣＥＬＶＯＬ（登録商標）で市販されている。ＰＶＡの別のより好ましい例は、Ｎｉｐｐｏｎ  Ｇｈｏｓｅｉ社から市販されている、所謂Ｇポリマーである。
【００８５】
皮膜形成剤は、本発明の非繊維性洗濯洗剤シート中に、各シートの総重量に対して、約１％〜約７０％、好ましくは約２％〜約６０％、より好ましくは約５％〜約５０％、そして最も好ましくは約１０％〜約４０％にて存在してよい。
【００８６】
皮膜形成剤に加えて、非繊維性洗濯洗剤シートはまた、フィルム形成剤の特性を変更するために、可塑剤及び固体などの好適な添加剤を含んでもよい。好適な可塑剤は、例えば、ペンタエリスリトール、ソルビトール、マンニトール、グリセリン、及びグリセロール又はエチレングリコールなどのグリコールである。可塑剤は、一般に、最大３５重量％、例えば、５〜３５重量％、好ましくは７〜２０重量％、より好ましくは１０〜１５重量％の量にて使用される。また、タルク、ステアリン酸、ステアリン酸マグネシウム、二酸化ケイ素、ステアリン酸亜鉛、又はコロイドシリカなどの固体を、一般に、約０．５〜５重量％の範囲の量にて使用してもよい。
【００８７】
非繊維性洗濯洗剤シートの製造プロセス
非繊維性洗濯洗剤シートは、鋳造、注型成形、加圧成形、押出成形／押出成形コーティング、カレンダー圧延加工、溶液蒸着、スカイビング、及び積層などの、任意の好適な皮膜形成方法により製造することができる。例えば、最初に、水中に溶解又は分散された原料を含有するスラリーを用意し、次に、そのスラリーをシート状の形態へと成形することにより、非繊維性洗濯洗剤シートを形成することができる。乾燥は、成形工程と同時に行うか、あるいはその後に実行するかのいずれかで実施することができ、乾燥により、水を除去して、水分をほとんど又は全く含まない（例えば、約３重量％未満の水しか含まない）、完成したシートを形成する。
【００８８】
シリンダシート製造システムを用いた、本発明の非繊維性洗濯洗剤シートを製造するための好ましいが非限定的なプロセスを、本明細書で以下に記載する。
【００８９】
シリンダシート製造システムは、その上に設置された、加熱された回転可能なシリンダを有する基部ブラケットを備える。加熱された回転可能なシリンダは、基部ブラケットに取り付けられた電動駆動装置により駆動されて、所定の回転速度で作動することができる。当該加熱された回転可能なシリンダは、好ましくは、その外側表面を非粘着性コーティングでコーティングされる。
【００９０】
本明細書で上述した全部又は一部の原材料（例えば、界面活性剤（複数可）、皮膜形成剤（複数可）、及び補助洗剤成分）を含有する、予め形成されたスラリーを、加熱された回転可能なシリンダ上に添加するための、供給機構もまた基部ブラケット上に提供される。供給機構は、基部ブラケット上に設置され、少なくとも１つの（好ましくは２つの）供給ホッパ（複数可）が設置された供給ラック、供給の動的観測結果のための撮像装置、及び供給ホッパの位置及び傾斜角度を調節するための調節装置を含む。
【００９１】
また、急速な熱損失を防止するために、加熱シールドも基部ブラケット上に設置されている。それがなければ、スラリーは、加熱された回転可能なシリンダ上で、急速に固結してしまう可能性がある。加熱シールドはまた、加熱された回転可能なシリンダにより必要とされるエネルギーを効果的に節約することができ、それにより、エネルギー消費を低減し、かつコストを削減することができる。加熱シールドは、モジュール式組立構造体、又は一体型構造体であり、基部ブラケットから自由に取り外すことができる。また、熱蒸気を吸い込むために、加熱シールド上に吸引装置が設置されて、形成されつつある洗濯洗剤シート上に凝縮した水が滴下することを防止する。加熱された回転可能なシリンダにより既に形成された洗濯洗剤シートを掬い上げるための、開始供給機構もまた基部ブラケット上に設置されている。
【００９２】
非繊維性洗濯洗剤シートの製造プロセスは、以下のとおりである。最初に、基部ブラケット上の非粘着コーティングを有する加熱された回転可能なシリンダが、電動駆動装置により駆動される。次に、調節装置が、供給ホッパと加熱された回転可能なシリンダの外側表面との間の距離が予め設定された値に到達するように、供給機構を調節する。一方、供給ホッパは、非繊維性洗濯洗剤シートを作製するための、全て又は一部の原材料を含有する、予め形成されたスラリーを、加熱された回転可能なシリンダ上に添加する。加熱シールドの吸引装置は、加熱された回転可能なシリンダにより生成された、熱蒸気を吸引する。
【００９３】
次に、開始供給機構は、乾燥した洗濯洗剤シートを掬い上げる。次いで、既に形成された洗濯洗剤シートを、加熱された回転可能なシリンダの下流側のスライシング／切断装置によって、所望のサイズにスライス又は切断することができる。任意選択的に、加熱された回転可能なシリンダの下流に設けられているエンボス加工装置によって、ライン、パターン、ロゴなどを更にエンボス加工する。
【００９４】
印刷プロセス
上述の図形パターンは、印刷のための当該技術分野において既知である、レタープレス印刷、リソグラフィー印刷、輪転グラビア印刷、オフセット印刷、スクリーン印刷、フレキソ印刷、インクジェット印刷、レーザー印刷、３Ｄ印刷などからなる群から選択される印刷方法によって、既に形成された非繊維性洗濯洗剤シート上に形成することができる。好ましくは、印刷方法は、フレキソ印刷、インクジェット印刷、及びレーザー印刷からなる群から選択される。より好ましくは、印刷方法は、インクジェット印刷又はレーザー印刷から選択されるデジタル印刷プロセスである。
【００９５】
具体的には、上述の布地色相剤が、１種以上の非水性溶剤、及び任意に他の着色剤、樹脂、添加剤などと混合されて、ペースト又は粉末の形態のいずれかの溶剤系インク混合物を形成する。次いで、このような溶剤系インク混合物を印刷装置に供給して上記印刷工程を行う。本発明においては非繊維性洗濯洗剤シートが水溶性であるため、（水と比較して）非水性溶媒が好ましい。その理由は、非繊維性洗濯洗剤シートが水溶性であるため、注意深く塗布されていない場合、印刷中にシートの構造的一体性を損なう場合があるためである。しかしながら、非繊維性洗濯洗剤シートの構造に悪影響を及ぼすことを最小限に抑えるように印刷プロセスが実行される限り、水性インク混合物をあえて使用してもよい。
【００９６】
本発明のある特定の実施形態では、印刷装置はインクジェットプリンタである。インクジェット印刷は、インクの液滴を小開口部から媒体上の指定位置に直接噴出して図柄を形成する、非インパクト式ドットマトリックス印刷技術である。インクジェット技術の２つの例として、熱気泡（又はバブルジェット（登録商標））式及び圧電式が挙げられる。
【００９７】
本発明の別の特定の実施形態では、印刷装置はレーザープリンタである。レーザー印刷は、帯電した粉末インクを使用する静電デジタル印刷プロセスである。この実施形態では、布地色相剤は、粉末インク粒子に配合される必要がある。
【００９８】
本発明の別の特定の実施形態では、印刷装置はフレキソプリンタである。フレキソ印刷は、直接回転式印刷方法であり、これは、概してゴム又はプラスチック製の可撓性印刷プレートを使用する。印刷プレートは、わずかに隆起した印刷領域を備え、粘性のある印刷混合物によって形成された画像を基材に転写する、シリンダ形状のデザインロール上で回転する。
【００９９】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１００】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１０１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020507646.tif 000008
【図２】
2020507646.tif 000009
【図３】
2020507646.tif 000010
【図４】
2020507646.tif 000011
【国際調査報告】
2020507646.tif 000012
2020507646.tif 000013